(57)【特許請求の範囲】
【請求項１】
デジタル網を介したデータ通信機能及び通話機能を少なくとも備えた通信端末装置において、
アナログ電話器が接続される接続手段と、送信デジタルデータをアナログの送信信号に変調して出力する一方、アナログの受信信号を復調してデジタルデータを得るモデム手段と、入力されるアナログの送信信号を、前記デジタル網を介して送信するデジタルデータに変換する一方、前記デジタル網を介して受信したデジタルデータをアナログの受信信号に変換して出力するコーデック手段と、アナログ網の特性に適合する直流電流を前記接続手段に供給でき、前記アナログ電話器を鳴動させるための前記アナログ網の特性に適合する呼出し信号を発生でき、前記アナログ電話器のオフフック及びダイヤルパルスを検出できるアナログ網模擬手段と、前記アナログ網に接続されるライントランスと、そのライントランスからの送受信信号を送信信号と受信信号とに分離・合成する第１信号分離合成手段と、前記アナログ網または前記接続手段に対して高インピーダンスを保ったまま送受信信号をやりとりできるインピーダンス変換手段と、そのインピーダンス変換手段からの送受信信号を送信信号と受信信号とに分離・合成する第２信号分離合成手段と、入力される信号からＤＴＭＦ信号を検出できるＤＴＭＦ検出手段と、入力される信号から特定周波数のトーンを検出できるトーン検出手段と、切換制御手段とを備え、
その切換制御手段は、前記アナログ網を介した通話の場合は、前記接続手段を前記アナログ網に直結する切換制御を行い、
前記アナログ網を介したデータ通信の場合は、前記ライントランスを前記アナログ網に接続し、前記アナログ網模擬手段及び前記インピーダンス変換手段を前記接続手段に接続し、前記モデム手段からの送信信号及び受信信号を前記第１信号分離合成手段に接続し、前記トーン検出手段を前記モデム手段及び第１信号分離合成手段間の受信信号に接続し、前記ＤＴＭＦ検出手段を、前記アナログ網模擬手段が前記アナログ電話器のオンフックを検出している時にあっては前記モデム手段及び第１信号分離合成手段間の受信信号に接続する一方、前記アナログ網模擬手段が前記アナログ電話器のオフフックを検出している時にあっては前記第２信号分離合成手段からの送信信号に接続する切換制御を行い、
前記デジタル網を介したデータ通信の場合は、前記モデム手段からの送信信号及び受信信号を前記コーデック手段の送信信号入力及び受信信号出力にそれぞれ接続し、前記トーン検出手段及びＤＴＭＦ検出手段を前記モデム手段及びコーデック手段間の受信信号に接続する切換制御を行い、
前記デジタル網を介した通話の場合は、前記アナログ網模擬手段及びインピーダンス変換手段を前記接続手段に接続し、前記第２信号分離合成手段からの送信信号出力及び受信信号入力を前記コーデック手段の送信信号入力及び受信信号出力にそれぞれ接続し、前記トーン検出手段を前記第２信号分離合成手段及びコーデック手段間の受信信号に接続し、前記ＤＴＭＦ検出手段を、前記第２信号分離合成手段及び前記コーデック手段間の送信信号に接続する切換制御を行うことを特徴とする通信端末装置。
【請求項２】
前記モデム手段はコールプログレストーン出力機能を備える一方、第１信号入力と第２信号入力とにそれぞれ入力される信号を加算して出力する信号加算手段を更に備え、
前記切換制御手段は、前記デジタル網を介した通話の場合は、前記アナログ網模擬手段及びインピーダンス変換手段を前記接続手段に接続し、前記第２信号分離合成手段からの送信信号出力を前記コーデック手段の送信信号入力に接続し、前記コーデック手段の受信信号出力を、前記信号加算手段の第２または第１信号入力のいずれか一方に接続すると共に他方の信号入力に前記モデム手段の送信信号を接続し、前記信号加算手段からの出力を前記第２信号分離合成手段の受信信号入力に接続し、前記トーン検出手段及びＤＴＭＦ検出手段を前記コーデック手段及び信号加算手段間の受信信号に接続する切換制御を行うことを特徴とする請求項１記載の通信端末装置。
【請求項３】
デジタル網を介したデータ通信機能及び通話機能を少なくとも備えた通信端末装置において、
アナログ電話器が接続される接続手段、アナログ網の特性に適合する直流電流を前記接続手段に供給でき、前記アナログ電話器を鳴動させるための前記アナログ網の特性に適合する呼出し信号を発生でき、前記アナログ電話器のオフフック及びダイヤルパルスを検出できるアナログ網模擬手段、前記アナログ網または前記接続手段に対して高インピーダンスを保ったまま送受信信号をやりとりできるインピーダンス変換手段、及び、前記アナログ網に接続されるライントランスにより構成される網制御ユニットと、
送信デジタルデータをアナログの送信信号に変調して出力する一方、アナログの受信信号を復調してデジタルデータを得るモデム手段と、入力されるアナログの送信信号を、前記デジタル網を介して送信するデジタルデータに変換する一方、前記デジタル網を介して受信したデジタルデータをアナログの受信信号に変換して出力するコーデック手段と、前記インピーダンス変換手段からの送受信信号のうちの送信信号を分離出力する送信信号分離手段と、入力される信号からＤＴＭＦ信号を検出できるＤＴＭＦ検出手段と、前記ライントランスからの送受信信号を送信信号と受信信号とに分離・合成する第１信号分離合成手段と、入力される信号から特定周波数のトーンを検出できるトーン検出手段と、切換制御手段とを備え、
その切換制御手段は、前記アナログ網を介した通話の場合は、前記接続手段を前記アナログ網に直結する切換制御を行い、
前記アナログ網を介したデータ通信の場合は、前記ライントランスを前記アナログ網に接続し、前記アナログ網模擬手段及び前記インピーダンス変換手段を前記接続手段に接続し、前記モデム手段からの送信信号及び受信信号を前記第１信号分離合成手段に接続し、前記トーン検出手段を前記モデム手段及び第１信号分離合成手段間の受信信号に接続し、前記ＤＴＭＦ検出手段を、前記アナログ網模擬手段が前記アナログ電話器のオンフックを検出している時にあっては前記モデム手段及び第１信号分離合成手段間の受信信号に接続する一方、前記アナログ網模擬手段が前記アナログ電話器のオフフックを検出している時にあっては前記送信信号分離手段からの送信信号に接続する切換制御を行い、
前記デジタル網を介したデータ通信の場合は、前記モデム手段からの送信信号及び受信信号を前記コーデック手段の送信信号入力及び受信信号出力にそれぞれ接続し、前記トーン検出手段及びＤＴＭＦ検出手段を前記モデム手段及びコーデック手段間の受信信号に接続する切換制御を行うことを特徴とする通信端末装置。
【請求項４】
前記網制御ユニットに代えて、アナログ電話器が接続される接続手段、前記接続手段に接続され、アナログ網の特性に適合する直流電流を前記接続手段に供給し、前記アナログ電話器を鳴動させるための前記アナログ網の特性に適合する呼出し信号を発生し、前記アナログ電話器のオフフック及びダイヤルパルスを検出するアナログ網模擬手段、及び、前記接続手段に接続されるライントランスにより構成されるインターフェースユニットを備えると共に、当該ライントランスを前記第１信号分離合成手段に接続する一方、前記モデム手段はコールプログレストーン出力機能を備え、
前記切換制御手段は、前記デジタル網を介したデータ通信の場合は、前記モデム手段からの送信信号及び受信信号を前記コーデック手段の送信信号入力及び受信信号出力にそれぞれ接続し、前記トーン検出手段及びＤＴＭＦ検出手段を前記モデム手段及びコーデック手段間の受信信号に接続する切換制御を行い、
前記デジタル網を介した通話の場合は、前記アナログ網模擬手段が前記接続手段に接続されたアナログ電話器のオンフックを検出している時にあっては、前記第１信号分離合成手段の前記アナログ電話器から見た送信信号出力を前記コーデック手段の送信信号入力に接続すると共に、前記コーデック手段からの受信信号出力を、前記第１信号分離合成手段の前記アナログ電話器から見た受信信号入力に接続し、前記アナログ網模擬手段が前記接続手段に接続されたアナログ電話器のオフフックを検出している時にあって、呼接続中は、前記第１信号分離合成手段の前記アナログ電話器から見た送信信号出力を前記コーデック手段の送信信号入力に接続し、前記トーン検出手段及びＤＴＭＦ検出手段を前記コーデック手段及び第１信号分離合成手段間の送信信号に接続し、前記コーデック手段からの受信信号出力を、前記第１信号分離合成手段の前記アナログ電話器から見た受信信号入力に接続する一方、呼接続中でないときは、前記第１信号分離合成手段の前記アナログ電話器から見た送信信号出力を前記コーデック手段の送信信号入力に接続し、前記モデム手段の送信信号を前記第１信号分離合成手段の前記アナログ電話器から見た受信信号入力に接続する切換制御を行うことを特徴とする請求項３記載の通信端末装置。
【請求項５】
デジタル網を介したデータ通信機能及び通話機能を少なくとも備えた通信端末装置において、
アナログ電話器が接続される接続手段と、前記接続手段に接続され、アナログ網の特性に適合する直流電流を前記接続手段に供給し、前記アナログ電話器を鳴動させるための前記アナログ網の特性に適合する呼出し信号を発生し、前記アナログ電話器のオフフック及びダイヤルパルスを検出するアナログ網模擬手段と、前記接続手段に接続されるライントランスと、送信デジタルデータをアナログの送信信号に変調して出力する一方、アナログの受信信号を復調してデジタルデータを得るモデム手段と、入力されるアナログの送信信号を、前記デジタル網を介して送信するデジタルデータに変換する一方、前記デジタル網を介して受信したデジタルデータをアナログの受信信号に変換して出力するコーデック手段と、前記ライントランスからの送受信信号を送信信号と受信信号とに分離・合成する第１信号分離合成手段と、前記コーデック手段からの受信信号からＤＴＭＦ信号を検出するＤＴＭＦ検出手段と、前記コーデック手段からの受信信号から特定周波数のトーンを検出するトーン検出手段と、切換制御手段とを備え、
その切換制御手段は、前記デジタル網を介したデータ通信の場合は、前記モデム手段からの送信信号及び受信信号を前記コーデック手段の送信信号入力及び受信信号出力にそれぞれ接続する切換制御を行い、
前記デジタル網を介した通話の場合は、前記第１信号分離合成手段からの送信信号及び受信信号を前記コーデック手段の送信信号入力及び受信信号出力にそれぞれ接続する切換制御を行うことを特徴とする通信端末装置。
【請求項６】
デジタル網を介したデータ通信機能及び通話機能を少なくとも備えた通信端末装置において、
アナログ電話器が接続される接続手段と、前記接続手段に接続され、アナログ網の特性に適合する直流電流を前記接続手段に供給し、前記アナログ電話器を鳴動させるための前記アナログ網の特性に適合する呼出し信号を発生し、前記アナログ電話器のオフフック及びダイヤルパルスを検出するアナログ網模擬手段と、前記接続手段に接続されるライントランスと、コールプログレストーン出力機能を備えると共に、送信デジタルデータをアナログの送信信号に変調して出力する一方、アナログの受信信号を復調してデジタルデータを得るモデム手段と、入力されるアナログの送信信号を、前記デジタル網を介して送信するデジタルデータに変換する一方、前記デジタル網を介して受信したデジタルデータをアナログの受信信号に変換して出力するコーデック手段と、前記ライントランスからの送受信信号を送信信号と受信信号とに分離・合成する第１信号分離合成手段と、前記コーデック手段からの受信信号と、前記モデム手段からの送信信号とを加算した信号を前記第１信号分離合成手段の受信信号入力に入力する信号加算手段と、前記コーデック手段からの受信信号からＤＴＭＦ信号を検出するＤＴＭＦ検出手段と、前記コーデック手段からの受信信号から特定周波数のトーンを検出するトーン検出手段と、切換制御手段とを備え、
その切換制御手段は、前記デジタル網を介したデータ通信の場合は、前記モデム手段からの送信信号及び受信信号を前記コーデック手段の送信信号入力及び受信信号出力にそれぞれ接続する切換制御を行い、
前記デジタル網を介した通話の場合は、前記第１信号分離合成手段からの送信信号を前記コーデック手段の送信信号入力に接続する切換制御を行うことを特徴とする通信端末装置。
【請求項７】
デジタル網を介したデータ通信機能及び通話機能を少なくとも備えた通信端末装置において、
アナログ電話器が接続される接続手段と、前記接続手段に接続され、アナログ網の特性に適合する直流電流を前記接続手段に供給し、前記アナログ電話器を鳴動させるための前記アナログ網の特性に適合する呼出し信号を発生し、前記アナログ電話器のオフフック及びダイヤルパルスを検出するアナログ網模擬手段と、前記接続手段に接続されるライントランスと、コールプログレストーン出力機能を備えると共に、送信デジタルデータをアナログの送信信号に変調して出力する一方、アナログの受信信号を復調してデジタルデータを得るモデム手段と、入力されるアナログの送信信号を、前記デジタル網を介して送信するデジタルデータに変換する一方、前記デジタル網を介して受信したデジタルデータをアナログの受信信号に変換して出力するコーデック手段と、前記ライントランスからの送受信信号を送信信号と受信信号とに分離・合成する第１信号分離合成手段と、前記コーデック手段からの受信信号からＤＴＭＦ信号を検出するＤＴＭＦ検出手段と、前記コーデック手段からの受信信号から特定周波数のトーンを検出するトーン検出手段と、切換制御手段とを備え、
その切換制御手段は、前記デジタル網を介したデータ通信の場合は、前記モデム手段からの送信信号及び受信信号を前記コーデック手段の送信信号入力及び受信信号出力にそれぞれ接続する切換制御を行い、
前記デジタル網を介した通話の場合は、前記アナログ網模擬手段が前記接続手段に接続されたアナログ電話器のオフフックを検出している時にあって、呼接続中は、前記第１信号分離合成手段の送信信号出力を前記コーデック手段の送信信号入力に接続し、前記コーデック手段からの受信信号出力を、前記第１信号分離合成手段の受信信号入力に接続する一方、呼接続中でないときは、前記第１信号分離合成手段の送信信号出力を前記コーデック手段の送信信号入力に接続すると共に前記モデム手段の送信信号を前記第１信号分離合成手段の受信信号入力に接続する切換制御を行うことを特徴とする通信端末装置。
【請求項８】
デジタル網を介したデータ通信機能及び通話機能を少なくとも備えた通信端末装置において、
アナログ電話器が接続される接続手段と、前記接続手段に接続され、アナログ網の特性に適合する直流電流を前記接続手段に供給し、前記アナログ電話器を鳴動させるための前記アナログ網の特性に適合する呼出し信号を発生し、前記アナログ電話器のオフフック及びダイヤルパルスを検出するアナログ網模擬手段と、前記接続手段に接続されるライントランスと、送信デジタルデータをアナログの送信信号に変調して出力する一方、アナログの受信信号を復調してデジタルデータを得るモデム手段と、入力されるアナログの送信信号を、前記デジタル網を介して送信するデジタルデータに変換する一方、前記デジタル網を介して受信したデジタルデータをアナログの受信信号に変換して出力するコーデック手段と、前記ライントランスからの送受信信号を送信信号と受信信号とに分離・合成する第１信号分離合成手段と、入力される信号からＤＴＭＦ信号を検出できるＤＴＭＦ検出手段と、前記コーデック手段からの受信信号から特定周波数のトーンを検出するトーン検出手段と、切換制御手段とを備え、
その切換制御手段は、前記デジタル網を介したデータ通信の場合は、前記モデム手段からの送信信号及び受信信号を前記コーデック手段の送信信号入力及び受信信号出力にそれぞれ接続すると共に前記ＤＴＭＦ検出手段を前記モデム手段及びコーデック手段間の受信信号に接続する切換制御を行い、
前記デジタル網を介した通話の場合は、前記第１信号分離合成手段からの送信信号及び受信信号を前記コーデック手段の送信信号入力及び受信信号出力をそれぞれにそれぞれ接続すると共に、前記ＤＴＭＦ検出手段を前記第１信号分離合成手段及び前記コーデック手段間の送信信号に接続する切換制御を行うことを特徴とする通信端末装置。
【請求項９】
デジタル網を介したデータ通信機能及び通話機能を少なくとも備えた通信端末装置において、
アナログ電話器が接続される接続手段と、前記接続手段に接続され、アナログ網の特性に適合する直流電流を前記接続手段に供給し、前記アナログ電話器を鳴動させるための前記アナログ網の特性に適合する呼出し信号を発生し、前記アナログ電話器のオフフック及びダイヤルパルスを検出するアナログ網模擬手段と、前記接続手段に接続されるライントランスと、コールプログレストーン出力機能を備えると共に、送信デジタルデータをアナログの送信信号に変調して出力する一方、アナログの受信信号を復調してデジタルデータを得るモデム手段と、入力されるアナログの送信信号を、前記デジタル網を介して送信するデジタルデータに変換する一方、前記デジタル網を介して受信したデジタルデータをアナログの受信信号に変換して出力するコーデック手段と、前記ライントランスからの送受信信号を送信信号と受信信号とに分離・合成する第１信号分離合成手段と、前記コーデック手段からの受信信号と、前記モデム手段からの送信信号とを加算した信号を前記第１信号分離合成手段の受信信号入力に入力する信号加算手段と、入力される信号からＤＴＭＦ信号を検出できるＤＴＭＦ検出手段と、前記コーデック手段からの受信信号から特定周波数のトーンを検出するトーン検出手段と、切換制御手段とを備え、
その切換制御手段は、前記デジタル網を介したデータ通信の場合は、前記モデム手段からの送信信号及び受信信号を前記コーデック手段の送信信号入力及び受信信号出力にそれぞれ接続すると共に、前記ＤＴＭＦ検出手段を前記モデム手段及びコーデック手段間の受信信号に接続する切換制御を行い、
前記デジタル網を介した通話の場合は、前記第１信号分離合成手段からの送信信号を前記コーデック手段の送信信号入力に接続する切換制御を行うと共に前記ＤＴＭＦ検出手段を前記第１信号分離合成手段及び前記コーデック手段間の送信信号に接続する切換制御を行うことを特徴とする通信端末装置。
【請求項１０】
デジタル網を介したデータ通信機能及び通話機能を少なくとも備えた通信端末装置において、
アナログ電話器が接続される接続手段と、前記接続手段に接続され、アナログ網の特性に適合する直流電流を前記接続手段に供給し、前記アナログ電話器を鳴動させるための前記アナログ網の特性に適合する呼出し信号を発生し、前記アナログ電話器のオフフック及びダイヤルパルスを検出するアナログ網模擬手段と、前記接続手段に接続されるライントランスと、コールプログレストーン出力機能を備えると共に、送信デジタルデータをアナログの送信信号に変調して出力する一方、アナログの受信信号を復調してデジタルデータを得るモデム手段と、入力されるアナログの送信信号を、前記デジタル網を介して送信するデジタルデータに変換する一方、前記デジタル網を介して受信したデジタルデータをアナログの受信信号に変換して出力するコーデック手段と、前記ライントランスからの送受信信号を送信信号と受信信号とに分離・合成する第１信号分離合成手段と、入力される信号からＤＴＭＦ信号を検出できるＤＴＭＦ検出手段と、前記コーデック手段からの受信信号から特定周波数のトーンを検出するトーン検出手段と、切換制御手段とを備え、
その切換制御手段は、前記デジタル網を介したデータ通信の場合は、前記モデム手段からの送信信号及び受信信号を前記コーデック手段の送信信号入力及び受信信号出力にそれぞれ接続すると共に、前記ＤＴＭＦ検出手段を前記モデム手段及びコーデック手段間の受信信号に接続する切換制御を行い、
前記デジタル網を介した通話の場合は、前記アナログ網模擬手段が前記接続手段に接続されたアナログ電話器のオフフックを検出している時にあって、呼接続中は、前記第１信号分離合成手段の送信信号出力を前記コーデック手段の送信信号入力に接続し、前記コーデック手段からの受信信号出力を、前記第１信号分離合成手段の受信信号入力に接続する一方、呼接続中でないときは、前記第１信号分離合成手段の送信信号出力を前記コーデック手段の送信信号入力に接続し、前記モデム手段の送信信号を前記第１信号分離合成手段の受信信号入力に接続し、前記ＤＴＭＦ検出手段を前記第１信号分離合成手段及び前記コーデック手段間の送信信号に接続する切換制御を行うことを特徴とする通信端末装置。
【発明の詳細な説明】
【０００１】
【発明の属する技術分野】
本発明は、デジタル網を介したデータ通信機能及び通話機能を少なくとも備えた通信端末装置に関する。
【０００２】
【従来の技術】
従来、ＩＳＤＮ（Ｉｎｔｅｇｒａｔｅｄ  Ｓｅｒｖｉｃｅ  Ｄｉｇｉｔａｌ  Ｎｅｔｗｏｒｋ：サービス総合デジタル網）に代表されるデジタル網を介した通話（デジタル通話）を行うには、デジタル電話器を購入して使用するか、ＰＳＴＮ（Ｐｕｂｌｉｃ  Ｓｗｉｔｃｈｅｓ  Ｔｅｌｅｐｈｏｎ  Ｎｅｔｗｏｒｋ）に代表されるアナログ網を介した通話（アナログ通話）用の電話器（アナログ電話器）にターミナルアダブタ（ＴＡ）を接続して使用していた。
【０００３】
また、デジタル網を介してファクシミリメッセージの送受信等のデータ通信（デジタルデータ通信）を行う、ファクシミリ装置等の通信端末装置においてデジタル通話を行うためには、併設電話器としてデジタル電話器を接続しなければならず、アナログ電話器をそのまま接続しても、当然デジタル電話器としては使用できない。
【０００４】
そのため、デジタルデータ通信を行う通信端末装置に、アナログ電話器とデジタル電話器との差異を埋める構成を付加することにより、アナログ電話器を併設電話器として接続してデジタル通話を可能とする技術が種々提案されいる（特開平４−１４５７５４号、特開平６−２２５０６１号、特開平２−９４９５２号の各公報参照）。
【０００５】
しかし、上記した、デジタルデータ通信を行う通信端末装置において併設電話器としてアナログ電話器を接続してデジタル通話を可能とする従来技術では、併設電話器として接続されたアナログ電話器を使用してのアナログ通話については何ら考慮されていない。
【０００６】
一方、デジタル網を介してデジタルデータ通信を行う通信端末装置は、そのままでは、当然アナログ網を介したデータ通信（アナログデータ通信）を行うことはできない。また、逆に、アナログ網を介したアナログデータを行う通信端末装置は、そのままでは、当然デジタル網を介したデジタルデータ通信を行うことはことはできない。
【０００７】
そのため、デジタルデータ通信を行う通信端末装置に、アナログデータ通信を行う通信端末装置との差異を埋める構成を付加することにより、デジタルデーター通信及びアナログデータ通信の双方を可能とした技術が提案されている（特開平２−１８６８６６号公報参照）。
【０００８】
しかし、上記した、デジタルデータ通信を行う通信端末装置において、アナログデータ通信をも可能とする従来技術では、アナログ電話器を併設電話器として使用してのアナログ通話及びデジタル通話を可能とすることについては何ら考慮されていない。
【０００９】
もっとも、特開平２−１８６８６６号公報記載の技術は、電話回線に接続する電話器と、ＩＳＤＮ回線に接続するデジタル電話器を共通のハンドセットで実現できる構成ではあるが、アナログ電話器をそのまま併設電話器として接続してアナログ通話及びデジタル通話を可能することについては何ら考慮されていない。
【００１０】
【発明が解決しようとする課題】
このように、従来の通信端末装置においては、アナログ電話器を併設電話器として使用してのアナログ網を介した通話及びデジタル網を介した通話と、アナログ網を介したデータ通信及びデジタル網を介したデータ通信とを両立することができないという問題点があった。
【００１１】
本発明は係る事情に鑑みてなされたものであり、アナログ電話器を併設電話器として使用してのアナログ網を介した通話及びデジタル網を介した通話と、アナログ網を介したデータ通信及びデジタル網を介したデータ通信とを両立することができる通信端末装置を提供することを目的とする。
【００１２】
【課題を解決するための手段】
上記目的を達成するため、請求項１記載の通信端末装置は、デジタル網を介したデータ通信機能及び通話機能を少なくとも備えた通信端末装置において、アナログ電話器が接続される接続手段と、送信デジタルデータをアナログの送信信号に変調して出力する一方、アナログの受信信号を復調してデジタルデータを得るモデム手段と、入力されるアナログの送信信号を、前記デジタル網を介して送信するデジタルデータに変換する一方、前記デジタル網を介して受信したデジタルデータをアナログの受信信号に変換して出力するコーデック手段と、アナログ網の特性に適合する直流電流を前記接続手段に供給でき、前記アナログ電話器を鳴動させるための前記アナログ網の特性に適合する呼出し信号を発生でき、前記アナログ電話器のオフフック及びダイヤルパルスを検出できるアナログ網模擬手段と、前記アナログ網に接続されるライントランスと、そのライントランスからの送受信信号を送信信号と受信信号とに分離・合成する第１信号分離合成手段と、前記アナログ網または前記接続手段に対して高インピーダンスを保ったまま送受信信号をやりとりできるインピーダンス変換手段と、そのインピーダンス変換手段からの送受信信号を送信信号と受信信号とに分離・合成する第２信号分離合成手段と、入力される信号からＤＴＭＦ信号を検出できるＤＴＭＦ検出手段と、入力される信号から特定周波数のトーンを検出できるトーン検出手段と、切換制御手段とを備え、その切換制御手段は、前記アナログ網を介した通話の場合は、前記接続手段を前記アナログ網に直結する切換制御を行い、前記アナログ網を介したデータ通信の場合は、前記ライントランスを前記アナログ網に接続し、前記アナログ網模擬手段及び前記インピーダンス変換手段を前記接続手段に接続し、前記モデム手段からの送信信号及び受信信号を前記第１信号分離合成手段に接続し、前記トーン検出手段を前記モデム手段及び第１信号分離合成手段間の受信信号に接続し、前記ＤＴＭＦ検出手段を、前記アナログ網模擬手段が前記アナログ電話器のオンフックを検出している時にあっては前記モデム手段及び第１信号分離合成手段間の受信信号に接続する一方、前記アナログ網模擬手段が前記アナログ電話器のオフフックを検出している時にあっては前記第２信号分離合成手段からの送信信号に接続する切換制御を行い、前記デジタル網を介したデータ通信の場合は、前記モデム手段からの送信信号及び受信信号を前記コーデック手段の送信信号入力及び受信信号出力にそれぞれ接続し、前記トーン検出手段及びＤＴＭＦ検出手段を前記モデム手段及びコーデック手段間の受信信号に接続する切換制御を行い、前記デジタル網を介した通話の場合は、前記アナログ網模擬手段及びインピーダンス変換手段を前記接続手段に接続し、前記第２信号分離合成手段からの送信信号出力及び受信信号入力を前記コーデック手段の送信信号入力及び受信信号出力にそれぞれ接続し、前記トーン検出手段を前記第２信号分離合成手段及びコーデック手段間の受信信号に接続し、前記ＤＴＭＦ検出手段を、前記第２信号分離合成手段及び前記コーデック手段間の送信信号に接続する切換制御を行うことを特徴とする。
【００１３】
請求項２記載の通信端末装置は、請求項１記載の通信端末装置において、前記モデム手段はコールプログレストーン出力機能を備える一方、第１信号入力と第２信号入力とにそれぞれ入力される信号を加算して出力する信号加算手段を更に備え、前記切換制御手段は、前記デジタル網を介した通話の場合は、前記アナログ網模擬手段及びインピーダンス変換手段を前記接続手段に接続し、前記第２信号分離合成手段からの送信信号出力を前記コーデック手段の送信信号入力に接続し、前記コーデック手段の受信信号出力を、前記信号加算手段の第２または第１信号入力のいずれか一方に接続すると共に他方の信号入力に前記モデム手段の送信信号を接続し、前記信号加算手段からの出力を前記第２信号分離合成手段の受信信号入力に接続し、前記トーン検出手段及びＤＴＭＦ検出手段を前記コーデック手段及び信号加算手段間の受信信号に接続する切換制御を行うことを特徴とする。
【００１４】
請求項３記載の通信端末装置は、デジタル網を介したデータ通信機能及び通話機能を少なくとも備えた通信端末装置において、アナログ電話器が接続される接続手段、アナログ網の特性に適合する直流電流を前記接続手段に供給でき、前記アナログ電話器を鳴動させるための前記アナログ網の特性に適合する呼出し信号を発生でき、前記アナログ電話器のオフフック及びダイヤルパルスを検出できるアナログ網模擬手段、前記アナログ網または前記接続手段に対して高インピーダンスを保ったまま送受信信号をやりとりできるインピーダンス変換手段、及び、前記アナログ網に接続されるライントランスにより構成される網制御ユニットと、送信デジタルデータをアナログの送信信号に変調して出力する一方、アナログの受信信号を復調してデジタルデータを得るモデム手段と、入力されるアナログの送信信号を、前記デジタル網を介して送信するデジタルデータに変換する一方、前記デジタル網を介して受信したデジタルデータをアナログの受信信号に変換して出力するコーデック手段と、前記インピーダンス変換手段からの送受信信号のうちの送信信号を分離出力する送信信号分離手段と、入力される信号からＤＴＭＦ信号を検出できるＤＴＭＦ検出手段と、前記ライントランスからの送受信信号を送信信号と受信信号とに分離・合成する第１信号分離合成手段と、入力される信号から特定周波数のトーンを検出できるトーン検出手段と、切換制御手段とを備え、その切換制御手段は、前記アナログ網を介した通話の場合は、前記接続手段を前記アナログ網に直結する切換制御を行い、前記アナログ網を介したデータ通信の場合は、前記ライントランスを前記アナログ網に接続し、前記アナログ網模擬手段及び前記インピーダンス変換手段を前記接続手段に接続し、前記モデム手段からの送信信号及び受信信号を前記第１信号分離合成手段に接続し、前記トーン検出手段を前記モデム手段及び第１信号分離合成手段間の受信信号に接続し、前記ＤＴＭＦ検出手段を、前記アナログ網模擬手段が前記アナログ電話器のオンフックを検出している時にあっては前記モデム手段及び第１信号分離合成手段間の受信信号に接続する一方、前記アナログ網模擬手段が前記アナログ電話器のオフフックを検出している時にあっては前記送信信号分離手段からの送信信号に接続する切換制御を行い、前記デジタル網を介したデータ通信の場合は、前記モデム手段からの送信信号及び受信信号を前記コーデック手段の送信信号入力及び受信信号出力にそれぞれ接続し、前記トーン検出手段及びＤＴＭＦ検出手段を前記モデム手段及びコーデック手段間の受信信号に接続する切換制御を行うことを特徴とする。
【００１５】
請求項４記載の通信端末装置は、請求項３記載の通信端末装置において、前記網制御ユニットに代えて、アナログ電話器が接続される接続手段、前記接続手段に接続され、アナログ網の特性に適合する直流電流を前記接続手段に供給し、前記アナログ電話器を鳴動させるための前記アナログ網の特性に適合する呼出し信号を発生し、前記アナログ電話器のオフフック及びダイヤルパルスを検出するアナログ網模擬手段、及び、前記接続手段に接続されるライントランスにより構成されるインターフェースユニットを備えると共に、当該ライントランスを前記第１信号分離合成手段に接続する一方、前記モデム手段はコールプログレストーン出力機能を備え、前記切換制御手段は、前記デジタル網を介したデータ通信の場合は、前記モデム手段からの送信信号及び受信信号を前記コーデック手段の送信信号入力及び受信信号出力にそれぞれ接続し、前記トーン検出手段及びＤＴＭＦ検出手段を前記モデム手段及びコーデック手段間の受信信号に接続する切換制御を行い、前記デジタル網を介した通話の場合は、前記アナログ網模擬手段が前記接続手段に接続されたアナログ電話器のオンフックを検出している時にあっては、前記第１信号分離合成手段の前記アナログ電話器から見た送信信号出力を前記コーデック手段の送信信号入力に接続すると共に、前記コーデック手段からの受信信号出力を、前記第１信号分離合成手段の前記アナログ電話器から見た受信信号入力に接続し、前記アナログ網模擬手段が前記接続手段に接続されたアナログ電話器のオフフックを検出している時にあって、呼接続中は、前記第１信号分離合成手段の前記アナログ電話器から見た送信信号出力を前記コーデック手段の送信信号入力に接続し、前記トーン検出手段及びＤＴＭＦ検出手段を前記コーデック手段及び第１信号分離合成手段間の送信信号に接続し、前記コーデック手段からの受信信号出力を、前記第１信号分離合成手段の前記アナログ電話器から見た受信信号入力に接続する一方、呼接続中でないときは、前記第１信号分離合成手段の前記アナログ電話器から見た送信信号出力を前記コーデック手段の送信信号入力に接続し、前記モデム手段の送信信号を前記第１信号分離合成手段の前記アナログ電話器から見た受信信号入力に接続する切換制御を行うことを特徴とする。
【００１６】
請求項５記載の通信端末装置は、デジタル網を介したデータ通信機能及び通話機能を少なくとも備えた通信端末装置において、アナログ電話器が接続される接続手段と、前記接続手段に接続され、アナログ網の特性に適合する直流電流を前記接続手段に供給し、前記アナログ電話器を鳴動させるための前記アナログ網の特性に適合する呼出し信号を発生し、前記アナログ電話器のオフフック及びダイヤルパルスを検出するアナログ網模擬手段と、前記接続手段に接続されるライントランスと、送信デジタルデータをアナログの送信信号に変調して出力する一方、アナログの受信信号を復調してデジタルデータを得るモデム手段と、入力されるアナログの送信信号を、前記デジタル網を介して送信するデジタルデータに変換する一方、前記デジタル網を介して受信したデジタルデータをアナログの受信信号に変換して出力するコーデック手段と、前記ライントランスからの送受信信号を送信信号と受信信号とに分離・合成する第１信号分離合成手段と、前記コーデック手段からの受信信号からＤＴＭＦ信号を検出するＤＴＭＦ検出手段と、前記コーデック手段からの受信信号から特定周波数のトーンを検出するトーン検出手段と、切換制御手段とを備え、その切換制御手段は、前記デジタル網を介したデータ通信の場合は、前記モデム手段からの送信信号及び受信信号を前記コーデック手段の送信信号入力及び受信信号出力にそれぞれ接続する切換制御を行い、前記デジタル網を介した通話の場合は、前記第１信号分離合成手段からの送信信号及び受信信号を前記コーデック手段の送信信号入力及び受信信号出力にそれぞれ接続する切換制御を行うことを特徴とする。
【００１７】
請求項６記載の通信端末装置は、デジタル網を介したデータ通信機能及び通話機能を少なくとも備えた通信端末装置において、アナログ電話器が接続される接続手段と、前記接続手段に接続され、アナログ網の特性に適合する直流電流を前記接続手段に供給し、前記アナログ電話器を鳴動させるための前記アナログ網の特性に適合する呼出し信号を発生し、前記アナログ電話器のオフフック及びダイヤルパルスを検出するアナログ網模擬手段と、前記接続手段に接続されるライントランスと、コールプログレストーン出力機能を備えると共に、送信デジタルデータをアナログの送信信号に変調して出力する一方、アナログの受信信号を復調してデジタルデータを得るモデム手段と、入力されるアナログの送信信号を、前記デジタル網を介して送信するデジタルデータに変換する一方、前記デジタル網を介して受信したデジタルデータをアナログの受信信号に変換して出力するコーデック手段と、前記ライントランスからの送受信信号を送信信号と受信信号とに分離・合成する第１信号分離合成手段と、前記コーデック手段からの受信信号と、前記モデム手段からの送信信号とを加算した信号を前記第１信号分離合成手段の受信信号入力に入力する信号加算手段と、前記コーデック手段からの受信信号からＤＴＭＦ信号を検出するＤＴＭＦ検出手段と、前記コーデック手段からの受信信号から特定周波数のトーンを検出するトーン検出手段と、切換制御手段とを備え、その切換制御手段は、前記デジタル網を介したデータ通信の場合は、前記モデム手段からの送信信号及び受信信号を前記コーデック手段の送信信号入力及び受信信号出力にそれぞれ接続する切換制御を行い、前記デジタル網を介した通話の場合は、前記第１信号分離合成手段からの送信信号を前記コーデック手段の送信信号入力に接続する切換制御を行うことを特徴とする。
【００１８】
請求項７記載の通信端末装置は、デジタル網を介したデータ通信機能及び通話機能を少なくとも備えた通信端末装置において、アナログ電話器が接続される接続手段と、前記接続手段に接続され、アナログ網の特性に適合する直流電流を前記接続手段に供給し、前記アナログ電話器を鳴動させるための前記アナログ網の特性に適合する呼出し信号を発生し、前記アナログ電話器のオフフック及びダイヤルパルスを検出するアナログ網模擬手段と、前記接続手段に接続されるライントランスと、コールプログレストーン出力機能を備えると共に、送信デジタルデータをアナログの送信信号に変調して出力する一方、アナログの受信信号を復調してデジタルデータを得るモデム手段と、入力されるアナログの送信信号を、前記デジタル網を介して送信するデジタルデータに変換する一方、前記デジタル網を介して受信したデジタルデータをアナログの受信信号に変換して出力するコーデック手段と、前記ライントランスからの送受信信号を送信信号と受信信号とに分離・合成する第１信号分離合成手段と、前記コーデック手段からの受信信号からＤＴＭＦ信号を検出するＤＴＭＦ検出手段と、前記コーデック手段からの受信信号から特定周波数のトーンを検出するトーン検出手段と、切換制御手段とを備え、その切換制御手段は、前記デジタル網を介したデータ通信の場合は、前記モデム手段からの送信信号及び受信信号を前記コーデック手段の送信信号入力及び受信信号出力にそれぞれ接続する切換制御を行い、前記デジタル網を介した通話の場合は、前記アナログ網模擬手段が前記接続手段に接続されたアナログ電話器のオフフックを検出している時にあって、呼接続中は、前記第１信号分離合成手段の送信信号出力を前記コーデック手段の送信信号入力に接続し、前記コーデック手段からの受信信号出力を、前記第１信号分離合成手段の受信信号入力に接続する一方、呼接続中でないときは、前記第１信号分離合成手段の送信信号出力を前記コーデック手段の送信信号入力に接続すると共に前記モデム手段の送信信号を前記第１信号分離合成手段の受信信号入力に接続する切換制御を行うことを特徴とする。
【００１９】
請求項８記載の通信端末装置は、デジタル網を介したデータ通信機能及び通話機能を少なくとも備えた通信端末装置において、アナログ電話器が接続される接続手段と、前記接続手段に接続され、アナログ網の特性に適合する直流電流を前記接続手段に供給し、前記アナログ電話器を鳴動させるための前記アナログ網の特性に適合する呼出し信号を発生し、前記アナログ電話器のオフフック及びダイヤルパルスを検出するアナログ網模擬手段と、前記接続手段に接続されるライントランスと、送信デジタルデータをアナログの送信信号に変調して出力する一方、アナログの受信信号を復調してデジタルデータを得るモデム手段と、入力されるアナログの送信信号を、前記デジタル網を介して送信するデジタルデータに変換する一方、前記デジタル網を介して受信したデジタルデータをアナログの受信信号に変換して出力するコーデック手段と、前記ライントランスからの送受信信号を送信信号と受信信号とに分離・合成する第１信号分離合成手段と、入力される信号からＤＴＭＦ信号を検出できるＤＴＭＦ検出手段と、前記コーデック手段からの受信信号から特定周波数のトーンを検出するトーン検出手段と、切換制御手段とを備え、その切換制御手段は、前記デジタル網を介したデータ通信の場合は、前記モデム手段からの送信信号及び受信信号を前記コーデック手段の送信信号入力及び受信信号出力にそれぞれ接続すると共に前記ＤＴＭＦ検出手段を前記モデム手段及びコーデック手段間の受信信号に接続する切換制御を行い、前記デジタル網を介した通話の場合は、前記第１信号分離合成手段からの送信信号及び受信信号を前記コーデック手段の送信信号入力及び受信信号出力をそれぞれにそれぞれ接続すると共に、前記ＤＴＭＦ検出手段を前記第１信号分離合成手段及び前記コーデック手段間の送信信号に接続する切換制御を行うことを特徴とする。
【００２０】
請求項９記載の通信端末装置は、デジタル網を介したデータ通信機能及び通話機能を少なくとも備えた通信端末装置において、アナログ電話器が接続される接続手段と、前記接続手段に接続され、アナログ網の特性に適合する直流電流を前記接続手段に供給し、前記アナログ電話器を鳴動させるための前記アナログ網の特性に適合する呼出し信号を発生し、前記アナログ電話器のオフフック及びダイヤルパルスを検出するアナログ網模擬手段と、前記接続手段に接続されるライントランスと、コールプログレストーン出力機能を備えると共に、送信デジタルデータをアナログの送信信号に変調して出力する一方、アナログの受信信号を復調してデジタルデータを得るモデム手段と、入力されるアナログの送信信号を、前記デジタル網を介して送信するデジタルデータに変換する一方、前記デジタル網を介して受信したデジタルデータをアナログの受信信号に変換して出力するコーデック手段と、前記ライントランスからの送受信信号を送信信号と受信信号とに分離・合成する第１信号分離合成手段と、前記コーデック手段からの受信信号と、前記モデム手段からの送信信号とを加算した信号を前記第１信号分離合成手段の受信信号入力に入力する信号加算手段と、入力される信号からＤＴＭＦ信号を検出できるＤＴＭＦ検出手段と、前記コーデック手段からの受信信号から特定周波数のトーンを検出するトーン検出手段と、切換制御手段とを備え、その切換制御手段は、前記デジタル網を介したデータ通信の場合は、前記モデム手段からの送信信号及び受信信号を前記コーデック手段の送信信号入力及び受信信号出力にそれぞれ接続すると共に、前記ＤＴＭＦ検出手段を前記モデム手段及びコーデック手段間の受信信号に接続する切換制御を行い、前記デジタル網を介した通話の場合は、前記第１信号分離合成手段からの送信信号を前記コーデック手段の送信信号入力に接続する切換制御を行うと共に前記ＤＴＭＦ検出手段を前記第１信号分離合成手段及び前記コーデック手段間の送信信号に接続する切換制御を行うことを特徴とする。
【００２１】
請求項１０記載の通信端末装置は、デジタル網を介したデータ通信機能及び通話機能を少なくとも備えた通信端末装置において、アナログ電話器が接続される接続手段と、前記接続手段に接続され、アナログ網の特性に適合する直流電流を前記接続手段に供給し、前記アナログ電話器を鳴動させるための前記アナログ網の特性に適合する呼出し信号を発生し、前記アナログ電話器のオフフック及びダイヤルパルスを検出するアナログ網模擬手段と、前記接続手段に接続されるライントランスと、コールプログレストーン出力機能を備えると共に、送信デジタルデータをアナログの送信信号に変調して出力する一方、アナログの受信信号を復調してデジタルデータを得るモデム手段と、入力されるアナログの送信信号を、前記デジタル網を介して送信するデジタルデータに変換する一方、前記デジタル網を介して受信したデジタルデータをアナログの受信信号に変換して出力するコーデック手段と、前記ライントランスからの送受信信号を送信信号と受信信号とに分離・合成する第１信号分離合成手段と、入力される信号からＤＴＭＦ信号を検出できるＤＴＭＦ検出手段と、前記コーデック手段からの受信信号から特定周波数のトーンを検出するトーン検出手段と、切換制御手段とを備え、その切換制御手段は、前記デジタル網を介したデータ通信の場合は、前記モデム手段からの送信信号及び受信信号を前記コーデック手段の送信信号入力及び受信信号出力にそれぞれ接続すると共に、前記ＤＴＭＦ検出手段を前記モデム手段及びコーデック手段間の受信信号に接続する切換制御を行い、前記デジタル網を介した通話の場合は、前記アナログ網模擬手段が前記接続手段に接続されたアナログ電話器のオフフックを検出している時にあって、呼接続中は、前記第１信号分離合成手段の送信信号出力を前記コーデック手段の送信信号入力に接続し、前記コーデック手段からの受信信号出力を、前記第１信号分離合成手段の受信信号入力に接続する一方、呼接続中でないときは、前記第１信号分離合成手段の送信信号出力を前記コーデック手段の送信信号入力に接続し、前記モデム手段の送信信号を前記第１信号分離合成手段の受信信号入力に接続し、前記ＤＴＭＦ検出手段を前記第１信号分離合成手段及び前記コーデック手段間の送信信号に接続する切換制御を行うことを特徴とする。
【００２２】
【発明の実施の形態】
以下、添付図面を参照しながら、本発明の実施の形態を詳細に説明する。
【００２３】
先ず、図１に本発明の実施の形態に係るファクシミリ装置のブロック構成を示す。
【００２４】
同図において、１は、装置各部の制御を行うシステム制御部である。２はシステム制御１の作業領域となって必要な情報が記憶されるシステムメモリ部である。３は、画情報を記憶する画像メモリ部である。４は画情報の符号化及び復号化を行う符号化・復号化部である。５は画像記録を行う記録部である。６は原稿の読み取りを行う読み取り部である。７はメッセージを表示したり装置の動作状態を表示したりするためのＬＣＤ等の図示しない表示装置を備えると共に、テンキー、回線選択ボタン等のキー群を備える操作表示部である。
【００２５】
８はシステム制御部１からの命令に従って入出力ポートの制御を行いアナログ通信処理部１０、ＮＣＵ部１１等の制御／状態監視を行うＩ／Ｏ制御部である。９は、プロトコル信号や画情報をＶ．２１、Ｖ．３４、Ｖ．１７、Ｖ．２９等の通信規格に従って変換復調を行ったり、プロトコルやＥＣＭ送受信時のデータのＨＤＬＣフレームミング／デフレーミング、ＣＲＣチェックあるいはＤＴＭＦ信号の送受信，トーンの送受信を行うモデム部である。１０は、モデム部９，コーデック部１２あるいはＮＣＵ部１１のアナログ信号のフィルタ処理や信号経路の切り換え等を行うアナログ通信処理部である。１１は、アナログ回線（ＰＳＴＮ）とのインターフェースであり、呼出信号検出等を行うＮＣＵ部である。
【００２６】
なお、ＮＣＵ部１１には、接続手段である接続端子２０ａを介して、ＰＳＴＮ用のアナログ電話器２０が、併設電話器として接続されている。
【００２７】
１２は、アナログ信号をＡ／μ則でＰＣＭ化してデジタルデータに変換する一方、ＰＣＭ化されたデジタルデータをアナログ信号に変換するコーデック部である。１３は、画情報をＢチャネル上でＨＤＬＣフレームにして伝送するＢチャネル伝送制御部である。１４は、Ｄチャネルでの呼制御を行うＤチャネル伝送制御部である。１５は、各データをレイヤ１仕様に合致させるレイヤ１信号制御部である。１６はデジタル回線（ＩＳＤＮ）とのインターフェースを行うＩＳＤＮ＿Ｉ／Ｆ部である。１７は、上記各部がデータをやりとりするためのシステムバスである。
【００２８】
以上のように構成される図１に示す本実施の形態に係るファクシミリ装置１００は、基本的には、ファクシミリデータの処理機能及び音声データの処理機能を備えると共に、ＰＳＴＮまたはＩＳＤＮでの通信機能を備えるため、信号切り換え制御により、アナログ電話器２０を使用してのＰＳＴＮを介した通話（アナログ通話）、ＰＳＴＮを介したファクシミリ通信（アナログファクシミリ通信）、アナログ電話器２０を使用してのＩＳＤＮを介した通話（デジタル通話）、及び、ＩＳＤＮを介したファクシミリ通信（デジタルファクシミリ通信）を行うことができる。
【００２９】
以下、各実施形態に分けて説明する構成は、信号切り換え制御により上記各種通信を可能とするものである。
【００３０】
先ず、図１に示す本実施の形態に係るファクシミリ装置１００における、第１実施形態に係るアナログ通信処理部１０及びＮＣＵ部１１のブロック構成について図２に示す。
【００３１】
同図において、先ず、ＮＣＵ部１１の構成について説明すると、３０は、ファクシミリ装置１００がオフフック時（スイッチＳ１を閉じた場合）にＰＳＴＮからの回線電流を検出し回線接続を確認するとともに電話器のオフフックを検出する回線電流検出部である。３１は、ＰＳＴＮとのインビーダンスマッチングとって回線電流を流し、ＰＳＴＮとの絶縁を保ちながら信号を伝えるライントランス部である。３２はＰＳＴＮまたはアナログ電話器２０側からみたインピーダンスを高く保ったまま信号を伝えるハイインピーダンストランス部である。３３は呼出信号の検出を行う呼出信号検出部である。３４は、接続端子２０ａ、すなわち、その接続端子２０ａに接続されたむアナログ電話器２０に対して、ＰＳＴＮに代わって直流を供給し、アナログ電話器２０のオフフック／オンフックおよびダイヤルパルスの検出を行うとともに、アナログ電話器２０に対して鳴動信号を発生させる直流供給・鳴動信号発生・オフフック検出部（以下ＰＳＴＮ模擬部と略称する）である。なお、回線電流検出部３０、呼出信号検出部３３及びＰＳＴＮ模擬部３４のそれぞれにおける検出結果は、図示を省略しているが、Ｉ／Ｏ制御部８を介してシステム制御部１に通知される。
【００３２】
また、ＮＣＵ部１１は、Ｉ／Ｏ制御部８を介してシステム制御部１により切換制御されるされるスイッチＳＷ１、ＳＷ２、及びＳＷ３を備えている。スイッチＳＷ１は、常時はＯＦＦで、ライントランス部３１を回線電流検出部３０の出力（ＰＳＴＮ）から切り離している。スイッチＳＷ２は、常時は接点ａ側に接続され、ハイインピーダンストランス部３２及び呼出信号検出部３３を、回線電流検出部３０の出力（ＰＳＴＮ）及びスイッチＳＷ３の接点ａに接続している。また、スイッチＳＷ２の接点ｂは接続端子２０ａに接続されている。スイッチＳＷ３は、常時は接点ａ側に接続され、接続端子２０ａをスイッチＳＷ２の接点ａ及び回線電流検出部３０の出力（ＰＳＴＮ）に接続している。また、スイッチＳＷ３の接点ｂはＰＳＴＮ模擬部３４に接続されている。
【００３３】
次に、アナログ通信処理部１０の構成について説明すると、４０及び４１は２線の送受信（送受話）信号を２線ずつの送信（送話）信号と受信（受話）信号と分離する一方２線ずつの送信信号と受信信号とを２線の送受信信号に合成する２線−４線変換部である。４２は、入力された信号中に含まれる、ファクシミリプロトコルで取り決められた所定周波数のトーンの検出を行うトーン検出部である。４３は入力された信号からＤＴＭＦ信号を検出して入力された相手先番号等を検出するためのＤＴＭＦレシーバ部である。なお、トーン検出部４２及びＤＴＭＦレシーバ部４３のそれぞれにおける検出結果は、図示を省略しているが、Ｉ／Ｏ制御部８を介してシステム制御部１に通知される。
【００３４】
また、アナログ通信処理部１０は、Ｉ／Ｏ制御部８を介してシステム制御部１により切換制御されるスイッチＳＷ４ないし７を備えている。スイッチＳＷ４ないし７は、すべて、常時は接点ａ側に切換られている。
【００３５】
したがって、常時は、モデム部９からのアナログの送信信号（ＴＸ）は、２線−４線変換部４０の送信信号入力に接続されると共に、コーデック部１２のアナログの送信信号入力に接続されている。モデム部９からのアナログ受信信号（ＲＸ）は、２線−４線変換部４０の受信信号出力に接続されると共に、スイッチＳＷ４及び５のそれぞれの接点ｂに接続されている。２線−４線変換部４１の送信信号出力（ＴＸ）は、トーン検出部４２及びＤＴＭＦレシーバ部４３に接続されると共に、スイッチＳＷ７の接点ｂに接続されている。２線−４線変換部４１の受信信号入力は（ＲＸ）は、スイッチＳＷ４及び５のそれぞれの接点ｂに接続されている。コーデック部１２のアナログの受信信号出力は、スイッチＳＷ６の接点ｂに接続されている。
【００３６】
また、ライントランス部３１と２線−４線変換部４０、ハイインピーダンストランス部３２と２線−４線変換部４１とは、それぞれ接続されている。
【００３７】
以上の構成での第１実施形態の動作について説明する。
【００３８】
先ず、ＰＳＴＮを介した通話（アナログ通話）の場合は、図２に示す常時の状態のままで、ＰＳＴＮとアナログ電話器２０が直結された状態にあるため、アナログ電話器２０をオフフックすれば、通話を行うことができる。
【００３９】
ＰＳＴＮを介したファクシミリ通信（アナログファクシミリ通信）の場合には、システム制御部１が、スイッチＳＷ１をＯＮし、スイッチＳＷ２、３及び４をそれぞれ接点ｂ側に切り換えることでモデム部９及びトーン検出部４２がＰＳＴＮに接続され、アナログファクシミリ通信が可能となる。またアナログ電話器２０には、ＰＳＴＮ模擬部３４から直流が供給され、アナログ電話器２０のオフフックも検出可能となる。スイッチＳＷ５は、アナログ電話器２０の状態によって切り換えられる。すなわち、アナログ電話器２０のオンフックをＰＳＴＮ模擬部３４が検出している時は、接点ｂに切り換えＰＳＴＮからのＤＴＭＦ信号の検出を行い、アナログ電話器２０のオフフックをＰＳＴＮ模擬部３４が検出している時は、図２に示すように接点ａに切り換えアナログ電話器２０からのＤＴＭＦ信号の検出を行う。
【００４０】
ＩＳＤＮを介したファクシミリ通信（デジタルファクシミリ通信）の場合は、スイッチＳＷ４、５及び６をそれぞれ接点ｂに切り換えることで、モデム部９、トーン検出部４２及びＤＴＭＦレシーバ部４３がコーデック部１２に接続され通信可能となる。
【００４１】
ＩＳＤＮを介した通話（デジタル通話）の場合（発呼）は、スイッチＳＷ２，３、４、６及び７をそれぞれ接点ｂに切り換える。アナログ電話器から電話番号が入力されると、その番号がＤＰ（ダイヤルパルス）により入力されたものであれば、ＰＳＴＮ模擬部３４のオフフック検出機能により検出され、その番号がテンキーによりＤＴＭＦで入力されたものであれば、ＤＴＭＦレシーバ部４３で検出され、その相手先に対してＩＳＤＮの呼設定を行うことができる。
【００４２】
こうして呼が設定されるとアナログ電話器２０からの送受信（送受話）信号はハイインビーダンストランス部３２を介して、２線−４線変換部４１で送信（送話）信号と受信（受話）信号に分離され、送話信号はスイッチＳＷ７介してコーデック部１２へ、受話信号はコーデック部１２からスイッチＳＷ６を介して２線−４線変換部４１へ入力され通話が可能となる。
【００４３】
着呼の場合は、スイッチＳＷ２、３、４、６及び７を切り換えた後、ＰＳＴＮ模擬部３４によりアナログ電話器２０に対して鳴動信号を発生させ、アナログ電話器２０のオフフックを検出するかタイムアウトナるまでアナログ電話器２０を鳴らし続けること以外は、上記の発呼の場合と同様である。
【００４４】
このように、アナログ通信処理部１０及びＮＣＵ部１１をシステム制御部１により切り換え制御することで、アナログ電話器２０を使用したアナログ通話及びデジタル通話、並びに、アナログ及びデジタルファクシミリ通信を全て行うことができる。
【００４５】
次に、図１に示す本実施の形態に係るファクシミリ装置１００における、第２実施形態に係るアナログ通信処理部１０及びＮＣＵ部１１のブロック構成について図３に示す。
【００４６】
同図において、ＮＣＵ部１１については、図２に示した第１実施形態と同一構成であるため、説明を省略する。
【００４７】
アナログ通信処理部１０についても、加算アンプ部４４と、常時は接点ａに切り換えられ、Ｉ／Ｏ制御部８を介してシステム制御部１により切り換え制御されるスイッチＳＷ８を追加したこと以外は構成としては図２に示した第１実施形態と同一構成である。なお、加算アンプ部４４は、入力される２つの信号を加算した信号を出力するものである。
【００４８】
したがって、常時は、モデム部９からのアナログの送信信号（ＴＸ）は、２線−４線変換部４０の送信信号入力に接続され、コーデック部１２のアナログの送信信号入力に接続され、スイッチＳＷ８の接点ｂに接続されている。また、モデム部９からのアナログ受信信号（ＲＸ）は、加算アンプ部４４の出力に接続されている。加算アンプ部４４の一方の入力は、２線−４線変換部４０の受信信号出力に接続されていると共に、スイッチＳＷ４及び５のそれぞれの接点ｂに接続されている。加算アンプ部４４の他方の入力は、接地されている。２線−４線変換部４１の送信信号出力（ＴＸ）は、トーン検出部４２及びＤＴＭＦレシーバ部４３に接続されると共に、スイッチＳＷ７の接点ｂに接続されている。２線−４線変換部４１の受信信号入力は（ＲＸ）は、加算アンプ部４４の出力に接続されている。コーデック部１２のアナログの受信信号出力は、スイッチＳＷ６の接点ｂに接続されている。
【００４９】
以上の構成での第２実施形態の動作について説明する。
【００５０】
アナログ電話器２０を使用したアナログ通話、アナログ及びデジタルファクシミリ通信については、スイッチＳＷ８は、接点ａに切り換えられた状態のままで、加算アンプ部４４は、他方の入力が接地されているため、一方の入力をそのまま出力しているにすぎず、無いも同然であり、スイッチＳＷ８を除く各スイッチの切り換えを第１実施形態と同様に行えばよい。
【００５１】
ＩＳＤＮを介した通話（デジタル通話）の場合は、第１実施形態と同様のスイッチ切り換えに加えて、スイッチＳＷ８を接点ｂに切り換える。これにより、アナログ電話器２０への受話信号としては、コーデック部１２からの受話信号と、モデム部９の送信信号とが加算された信号が入力されることになる。
【００５２】
したがって、モデム部９から、コールプログレストーン（ダイヤルトーン、リングバックトーン，ビジートーン）を発生することが可能になる。モデム部９は、ファクシミリ通信機能のために、コールプログレストーン送出機能を備えているため、アナログ電話器２０に対してコールプログレストーンの送出するための構成をコーデック部１２に持たせたり、ＰＳＴＮ模擬部３４等に持たせたりする必要かなく、その分低コストでアナログ電話器２０へのコールプログレストーンの送出が可能となる。また、アナログ電話器２０のユーザにとっては、いっそう違和感なく、ＰＳＴＮに直結された場合と変わりない通話を行える。
【００５３】
次に、図１に示す本実施の形態に係るファクシミリ装置１００における、第３実施形態に係るアナログ通信処理部１０及びＮＣＵ部１１のブロック構成について図４に示す。
【００５４】
同図において、ＮＣＵ部１１については、図２に示した第１実施形態と同一構成であるため、説明を省略する。
【００５５】
アナログ通信処理部１０についても、２線−４線変換部４１に代えてバッファアンプ部４５を備えた点と、常時は接点ａに切り換えられ、Ｉ／Ｏ制御部８を介してシステム制御部１により切り換え制御されるスイッチＳＷ９及び１０を追加したこと、及び、２線−４線変換部４０とライントランス部３１とが接続端子４０ａを介して接続されていると共にバッファアンプ部４５とハイインピーダンストランス部３２とが接続端子４５ａを介して接続されていること以外は、図２に示した第１実施形態と同一構成である。
【００５６】
したがって、常時は、モデム部９からのアナログの送信信号（ＴＸ）は、２線−４線変換部４０の送信信号入力に接続されると共にスイッチＳＷ１０の接点ｂに接続されている。モデム部９からのアナログ受信信号（ＲＸ）は、２線−４線変換部４０の受信信号出力に接続されている。２線−４線変換部４０の受信信号出力は、スイッチＳＷ７の接点ｂに接続されている。モデム部９からのアナログ受信信号（ＲＸ）は、２線−４線変換部４０の受信信号出力に接続されている。スイッチＳＷ１０及びスイッチＳＷ６間の受信信号は、スイッチＳＷ４及び５のそれぞれの接点ｂに接続されている。バッファアンプ部４５の送信信号出力は、トーン検出部４２及びＤＴＭＦレシーバ部４３に接続されている。コーデック部１２のアナログの受信信号出力は、スイッチＳＷ６の接点ｂに接続されている。コーデック部１２のアナログの送信信号出力は、スイッチＳＷ９の接点ｂに接続されている。
【００５７】
以上の構成での第３実施形態の動作について説明する。
【００５８】
アナログ電話器２０を使用したアナログ通話、及び、アナログファクシミリ通話については、スイッチＳＷ９及び１０は、接点ａに切り換えられた状態のままであるため、スイッチＳＷ９及び１０を除く各スイッチの切り換えを第１実施形態と同様に行えばよい
【００５９】
ＩＳＤＮを介したファクシミリ通信（デジタルファクシミリ通信）の場合は、スイッチＳＷ４，５，６，７に加えてスイッチＳＷ９を接点ｂに切り換えることで、第１実施形態と同様のデジタルファクシミリ通信が行える。
【００６０】
ＩＳＤＮを介した通話（デジタル通話）については、この第３実施形態では不可能であるが、以下説明する第４実施形態により対応できる。なお、第３実施形態によれば、第１または第２実施形態とは違って、アナログ及びデジタルファクシミリ通信中に、アナログ電話器２０がオフフックされても、各スイッチの切り換えによって、通信中の音が聞こえない利点がある。
【００６１】
図５に、以下説明する第４実施形態以降の実施形態が適用されるファクシミリ装置１００のブロック構成を示す。
【００６２】
図５に示すファクシミリ装置１００は、第１ないし第３実施形態が適用された図１に示すファクシミリ装置１００に対して、それらの図を比較して明らかなように、ＮＣＵ部１１をＴＥＬ−Ｉ／Ｆ部１８に置換した構成となっている。
【００６３】
次に、図５に示す本実施の形態に係るファクシミリ装置１００における、第４実施形態に係るアナログ通信処理部１０及びＴＥＬ−Ｉ／Ｆ部１８のブロック構成について図６に示す。
【００６４】
同図において、ＴＥＬ−Ｉ／Ｆ部１８は、構成としては、図２ないし４に示した構成のＮＣＵ部１１から回線電流検出部３０、ハイインピーダンストランス部３２及び呼出信号検出部３３と、スイッチＳＷ１ないし３を削除したものであり、接続端子２０ａには、アナログ電話器２０が接続され、接続端子２０には、図２ないし４に示したものと同一構成の、ライントランス部３１及び直流供給・鳴動信号発生・オフフック検出部（ＰＳＴＮ模擬部）３４が直結されている。なお、ＴＥＬ−Ｉ／Ｆ部１８は、ＰＳＴＮでの通信／通話、すなわち、アナログファクシミリ通信及びアナログ通話については対応していない。
【００６５】
アナログ通信処理部１０については、図４に示した第３実施形態のものと同一構成であり、接続端子４０ａを介して、２線−４線変換部４０に、ＴＥＬ−Ｉ／Ｆ部１８のライントランス部３１が接続されている。
【００６６】
以上の構成での第４実施形態の動作について説明する。
【００６７】
ＩＳＤＮを介したファクシミリ通信（デジタルファクシミリ通信）の場合は、第３実施形態の場合と同様に、スイッチＳＷ４，５，６，７に加えてスイッチＳＷ９を接点ｂに切り換えることで、第１実施形態と同様のデジタルファクシミリ通信が行える。
【００６８】
ＩＳＤＮを介した通話（デジタル通話）については、第３実施形態では不可能であったが、この第４実施形態では可能で、発呼の場合は、ＰＳＴＮ模擬部３４がアナログ電話器２０のオフフックを検出しているときは、スイッチＳＷ４、５及び７を接点ｂに切り換え、アナログ電話器２０で相手先番号が入力されたらＰＳＴＮ模擬部３４またはＤＴＭＦレシーバ部４３で検出し、その検出された相手先に呼設定を行い、呼が接続されたら更にスイッチＳＷ６、９及び１０を接点ｂに切り換え、デジタル通話が可能となる。呼が解放されたら、スイッチＳＷ６、９及び１０を接点ａに切り換え直す。
【００６９】
呼が接続されるまであるいは呼が解放された後は、モデム部９からは適時コールプログレストーンがアナログ電話器２０に送出される。着呼の場合は全てのＳＷを接点ｂに切り換え、ＰＳＴＮ模擬部３４からアナログ電話器２０に対して鳴動信号を発生させ、アナログ電話器２０のオフフックを検出するかタイムアウトするまでアナログ電話器を鳴らし続ける以外は上記発呼の場合と同様である。
【００７０】
このように、第４実施形態では、第３実施形態のＮＣＵ部１１に代えて、ＴＥＬ−Ｉ／Ｆ部１８を、アナログ通信処理部１０に接続するだけで、デジタル通話及びデジタルファクシミリ通信が可能となる。
【００７１】
つまり、アナログ通話、アナログファクシミリ通信及びデジタルファクシミリ通信を行いたい場合は、第３実施形態のように、アナログ通信処理部１０にＮＣＵ部１１を網制御ユニットとして接続し、デジタル通話及びデジタルファクシミリ通信を行いたい場合は、第４実施形態のようにアナログ通信処理部１０にＴＥＬ−Ｉ／Ｆ部１８をインターフェースユニットとして接続することで、ユーザの所望する通信形態に応じた構成がユニットの交換のみで実現できる。
【００７２】
次に、図５に示す本実施の形態に係るファクシミリ装置１００における、第５実施形態に係るアナログ通信処理部１０及びＴＥＬ−Ｉ／Ｆ部１８のブロック構成について図７に示す。
【００７３】
ＴＥＬ−Ｉ／Ｆ部１８は、図６に示した第４実施形態のものと同一構成である。
【００７４】
アナログ通信処理部１０は、第１実施形態のものと同一の２線−４線変換部、トーン検出部４２及びＤＴＭＦレシーバ部４３と、スイッチＳＷ７により構成されている。スイッチＳＷ７は、常時は接点ａ側に切換られている。
【００７５】
したがって、常時は、モデム部９からのアナログの送信信号（ＴＸ）は、コーデック部１２のアナログの送信信号入力に接続されている。コーデック部１２のアナログの受信信号出力は、モデム部９のアナログ受信信号（ＲＸ）に接続され、２線−４線変換部４０の受信信号入力に接続され、トーン検出部４２及びＤＴＭＦレシーバ部４３に接続されている。２線−４線変換部４０の送信信号出力は、スイッチＳＷ７の接点ｂに接続されている。
【００７６】
また、ライントランス部３１と２線−４線変換部４０とは、それぞれ接続されている。
【００７７】
以上の構成での第５実施形態の動作について説明する。
【００７８】
本構成ではＰＳＴＮを介したアナログファクシミリ通信／アナログ通話は不可能であるが、その分構成が簡潔になっている。
【００７９】
ＩＳＤＮを介したデジタルファクシミリ通信は、図７に示すように、スイッチＳＷ７を接点ａに接続したままで行うことができる。
【００８０】
ＩＳＤＮを介したデジタル通話は、スイッチＳＷ７を接点ｂに切り換えることで行える。ただし、ＤＴＭＦレシーバ部４３がコーデック部１２の受信信号出力にしか接続されていないため、アナログ電話器２０からのテンキーによる相手先番号の入力はできない（ダイヤパルスによる入力であれば、ＰＳＴＮ模擬部３４で検出できるため、可能である）。その場合は、相手先番号の入力は、操作表示部７から行う。また、モデム部９からのアナログ電話器２０へのコールプログレストーンの送出もできない。
【００８１】
次に、図５に示す本実施の形態に係るファクシミリ装置１００における、第６実施形態に係るアナログ通信処理部１０及びＴＥＬ−Ｉ／Ｆ部１８のブロック構成について図８に示す。
【００８２】
ＴＥＬ−Ｉ／Ｆ部１８は、図７に示した第５実施形態のものと同一構成である。
【００８３】
アナログ通信処理部１０は、第５実施形態に係るものに、加算アンプ部４４を追加した構成となっている。スイッチＳＷ７は、常時は接点ａ側に切換られている。なお、加算アンプ部４４は、入力される２つの信号を加算した信号を出力するものである。
【００８４】
したがって、常時は、モデム部９からのアナログの送信信号（ＴＸ）は、コーデック部１２のアナログの送信信号入力に接続される共に、加算アンプ部４４の一方の入力に接続されている。コーデック部１２のアナログの受信信号出力は、モデム部９のアナログ受信信号（ＲＸ）に接続され、加算アンプ部４４の他方の入力に接続され、トーン検出部４２及びＤＴＭＦレシーバ部４３に接続されている。２線−４線変換部４０の送信信号出力は、スイッチＳＷ７の接点ｂに接続されている。加算アンプ部４４の出力は、２線−４線変換部４０の受信信号入力に接続されている。
【００８５】
また、ライントランス部３１と２線−４線変換部４０とは、それぞれ接続されている。
【００８６】
以上の構成での第６実施形態の動作について説明する。
【００８７】
ＩＳＤＮを介したデジタルファクシミリ通信は、図８に示すように、スイッチＳＷ７を接点ａに接続したままで行うことができる。
【００８８】
ＩＳＤＮを介したデジタル通話は、スイッチＳＷ７を接点ｂに切り換えることで行える。ただし、ＤＴＭＦレシーバ部４３がコーデック部１２の受信信号出力にしか接続されていないため、アナログ電話器２０からのテンキーによる相手先番号の入力はできない（ダイヤパルスによる入力であれば、ＰＳＴＮ模擬部３４で検出できるため、可能である）。その場合は、相手先番号の入力は、操作表示部７から行う。また、モデム部９からのアナログ電話器２０へのコールプログレストーンは、加算アンプ部４４によりコーデック部１２からの受信信号出力にモデム部からの送信信号を合成することで、送出することができる。
【００８９】
次に、図５に示す本実施の形態に係るファクシミリ装置１００における、第７実施形態に係るアナログ通信処理部１０及びＴＥＬ−Ｉ／Ｆ部１８のブロック構成について図９に示す。
【００９０】
ＴＥＬ−Ｉ／Ｆ部１８は、図８に示した第６実施形態のものと同一構成である。
【００９１】
アナログ通信処理部１０は、第６実施形態に係るものの構成のうち、加算アンプ部４４を、スイッチＳＷ１１に置換した構成となっている。スイッチＳＷ７及び１１は、常時は接点ａ側に切換られている。
【００９２】
したがって、常時は、モデム部９からのアナログの送信信号（ＴＸ）は、コーデック部１２のアナログの送信信号入力に接続される共に、スイッチＳＷ１１の接点ｂに接続されている。コーデック部１２のアナログの受信信号出力は、モデム部９のアナログ受信信号（ＲＸ）に接続され、２線−４線変換部４０の受信信号入力に接続され、トーン検出部４２及びＤＴＭＦレシーバ部４３に接続されている。２線−４線変換部４０の送信信号出力は、スイッチＳＷ７の接点ｂに接続されている。
【００９３】
また、ライントランス部３１と２線−４線変換部４０とは、それぞれ接続されている。
【００９４】
以上の構成での第７実施形態の動作について説明する。
【００９５】
ＩＳＤＮを介したデジタルファクシミリ通信の場合は、通信中にモデム部９からコーデック部１２に信号を送出しているときは、図９に示すように、スイッチＳＷ７及び１１を接点ａに接続する。一方、通信中にモデム部９がコーデック部１２から信号を受信しているときは、スイッチＳＷ１１を接点ｂに切り換え、２線−４線変換部の受信信号入力に、通信信号が入力されないようにする。これにより、この第７実施形態では、第５または第６実施形態とは違って、デジタルファクシミリ通信中に、アナログ電話器２０がオフフックされても、各スイッチの切り換えによって、通信中の音が聞こえない利点がある。
【００９６】
ＩＳＤＮを介したデジタル通話の場合は、先ず、スイッチＳＷ７を接点ｂに切り換える。また、通話時にアナログ電話器２０のオフフックが検出されているときであって呼接続中でないときは、スイッチＳＷ１１を接点ｂに切り換えて、モデム部９からアナログ電話器２０へコールプログレストーンの送出を行い、呼接続中は、スイッチＳＷ１１を接点ａに切り換え直す。ただし、ＤＴＭＦレシーバ部４３がコーデック部１２の受信信号出力にしか接続されていないため、アナログ電話器２０からのテンキーによる相手先番号の入力はできない（ダイヤパルスによる入力であれば、ＰＳＴＮ模擬部３４で検出できるため、可能である）。その場合は、相手先番号の入力は、操作表示部７から行う。
【００９７】
次に、図５に示す本実施の形態に係るファクシミリ装置１００における、第８実施形態に係るアナログ通信処理部１０及びＴＥＬ−Ｉ／Ｆ部１８のブロック構成について図１０に示す。
【００９８】
ＴＥＬ−Ｉ／Ｆ部１８は、図７に示した第５実施形態のものと同一構成である。
【００９９】
アナログ通信処理部１０は、第５実施形態のものに、トーン検出部４２及びＤＴＭＦレシーバ部４３を、コーデック部１２のアナログの受信信号出力、または、２線−４線変換部４０の送信信号出力に切り換え接続するスイッチＳＷ１２を追加した構成となっている。
【０１００】
これにより、ＩＳＤＮを介したデジタルファクシミリ通信は、スイッチＳＷ１２を図１０に示すように接点ａに接続したままにすることで、第５実施形態と同様に、スイッチＳＷ７を接点ａに接続したままで行うことができる。
【０１０１】
ＩＳＤＮを介したデジタル通話は、スイッチＳＷ７を接点ｂに切り換えることで第５実施形態と同様に行える。また、スイッチＳＷ１２を接点ｂに接続することで、ＤＴＭＦレシーバ部４３が２線−４線変換部４０の送信信号出力に接続されるため、アナログ電話器２０からのテンキーによる相手先番号の入力が可能となる。
【０１０２】
次に、図５に示す本実施の形態に係るファクシミリ装置１００における、第９実施形態に係るアナログ通信処理部１０及びＴＥＬ−Ｉ／Ｆ部１８のブロック構成について図１１に示す。
【０１０３】
ＴＥＬ−Ｉ／Ｆ部１８は、図８に示した第６実施形態のものと同一構成である。
【０１０４】
アナログ通信処理部１０は、第６実施形態のものに、トーン検出部４２及びＤＴＭＦレシーバ部４３を、コーデック部１２のアナログの受信信号出力、または、２線−４線変換部４０の送信信号出力に切り換え接続するスイッチＳＷ１２を追加した構成となっている。
【０１０５】
これにより、ＩＳＤＮを介したデジタルファクシミリ通信は、スイッチＳＷ１２を図１１に示すように接点ａに接続したままにすることで、第６実施形態と同様に、スイッチＳＷ７を接点ａに接続したままで行うことができる。
【０１０６】
ＩＳＤＮを介したデジタル通話は、スイッチＳＷ７を接点ｂに切り換えることで第６実施形態と同様に行える。また、スイッチＳＷ１２を接点ｂに接続することで、ＤＴＭＦレシーバ部４３が２線−４線変換部４０の送信信号出力に接続されるため、アナログ電話器２０からのテンキーによる相手先番号の入力が可能となる。
【０１０７】
次に、図５に示す本実施の形態に係るファクシミリ装置１００における、第１０実施形態に係るアナログ通信処理部１０及びＴＥＬ−Ｉ／Ｆ部１８のブロック構成について図１２に示す。
【０１０８】
ＴＥＬ−Ｉ／Ｆ部１８は、図９に示した第７実施形態のものと同一構成である。
【０１０９】
アナログ通信処理部１０は、第７実施形態のものに、トーン検出部４２及びＤＴＭＦレシーバ部４３を、コーデック部１２のアナログの受信信号出力、または、２線−４線変換部４０の送信信号出力に切り換え接続するスイッチＳＷ１２を追加した構成となっている。
【０１１０】
これにより、ＩＳＤＮを介したデジタルファクシミリ通信は、スイッチＳＷ１２を図１２に示すように接点ａに接続したままにすることで、第７実施形態と同様に行える。すなわち、通信中にモデム部９からコーデック部１２に信号を送出しているときは、図１２に示すように、スイッチＳＷ７及び１１を接点ａに接続する。一方、通信中にモデム部９がコーデック部１２から信号を受信しているとき、スイッチＳＷ１１を接点ｂに切り換え、２線−４線変換部の受信信号入力に、通信信号が入力れさないようにする。
【０１１１】
ＩＳＤＮを介したデジタル通話は、第７実施形態と同様に行える。すなわち、先ず、スイッチＳＷ７を接点ｂに切り換える。また、通話時にアナログ電話器２０のオフフックが検出されているときであって呼接続中でないときは、スイッチＳＷ１１を接点ｂに切り換えて、モデム部９からアナログ電話器２０へコールプログレストーンの送出を行い、呼接続中は、スイッチＳＷ１１を接点ａに切り換え直す。また、スイッチＳＷ１２を接点ｂに接続することで、ＤＴＭＦレシーバ部４３が２線−４線変換部４０の送信信号出力に接続されるため、アナログ電話器２０からのテンキーによる相手先番号の入力が可能となる。
【０１１２】
最後に、本実施の形態においてＩＳＤＮを介したデジタル通話を行う際の共通フローを図１３に示す。
【０１１３】
同図において、発側ＦＡＸ及び着側ＦＡＸは、共に本実施の形態のファクシミリ装置１００であり、発側ユーザ及び着側ユーザは、それぞれの側でアナログ電話器２０を使用するユーザである。
【０１１４】
発側ユーザがアナログ電話器２０をオフフックすると、発側ＦＡＸは、そのオフフックを検出し、ダイヤルトーンをアナログ電話器２０に送出する。その送出されたダイヤルトーンを確認した発側ユーザは、ＤＴＭＦ信号またはＤＰ信号による発呼を１桁ずつＮ桁目まで行う。発側ＦＡＸは、１桁目のＤＴＭＦ信号またはＤＰ信号を検出した時点でデジタルトーンを停止し、Ｎ桁目まで検出し終わると、呼設定メッセージをＩＳＤＮに送出し、ＩＳＤＮは、それを受けて着側ＦＡＸに呼設定メッセージを送出し、着側ＦＡＸはその呼設定メッセージを受信して、アナログ電話器２０に鳴動信号を出力する一方、呼出メッセージをＩＳＤＮを介して発側ＦＡＸに送出する。送信側ＦＡＸは、その呼出メッセージを受信する。また、ＩＳＤＮから発側ＦＡＸへリングバックトーンが送出され、その送出されたリングバックトーンを、アナログ電話器２０により発側ユーザが確認する。
【０１１５】
一方、「プルルルル…」という鳴動音に気付いた着側ユーザがアナログ電話器２０をオフフックすると、そのオフフックは、着側ＦＡＸにより検出され、応答メッセージがＩＳＤＮを介して発側ＦＡＸに送出され、発側ＦＡＸが受信する。
【０１１６】
これにより、ＩＳＤＮのＢチャンネルが発側ＦＡＸと着側ＦＡＸとの間に接続されて、アナログ電話器２０を使用してのＩＳＤＮを介したデジタル通話が可能となる。
【０１１７】
通話が終了して発側ユーザがアナログ電話器２０をオンフックすると、そのオンフックを発側ＦＡＸが検出して、呼切断の要求メッセージをＩＳＤＮを介して着側ＦＡＸに送出する。着側ＦＡＸはその要求を受信して、ビジートーンをアナログ電話器２０に送出し、着側ユーザは、そのビジートーンを確認してアナログ電話器２０をオンフックする。そのオンフックを検出した着側ＦＡＸは、解放要求メッセージをＩＳＤＮを介して発側ＦＡＸに送出する。発側ＦＡＸは、その解放要求メッセージを受信すると、解放完了メッセージをＩＳＤＮを介して着側ＦＡＸに送出し、着側ＦＡＸがその解放完了メッセージを受信して呼が解放される。
【０１１８】
なお、以上説明した実施の形態においては、ＩＳＤＮ（デジタル網）ゃＰＳＴＮ（アナログ網）を介して通信するデータがファクシミリデータであるファクシミリ装置を通信端末装置の一例として説明したが、本発明は、それに限らず、バイナリファイルデータや、その他のデータをＩＳＤＮ（デジタル網）やＰＳＴＮ（アナログ網）を介して通信する通信端末装置についても同様に適用可能なものである。
【０１１９】
【発明の効果】
請求項１に係る発明によれば、前記切換制御手段は、前記アナログ網を介した通話の場合は、前記接続手段を前記アナログ網に直結する切換制御を行うため、一般のアナログ網に収容されたアナログ電話器と同様に、前記接続手段に接続されるアナログ電話器が前記アナログ網に接続され、アナログ電話器を使用したアナログ通話が可能となる。また、前記切換制御手段は、前記アナログ網を介したデータ通信の場合は、前記ライントランスを前記アナログ網に接続し、前記アナログ網模擬手段及び前記インピーダンス変換手段を前記接続手段に接続し、前記モデム手段からの送信信号及び受信信号を前記第１信号分離合成手段に接続し、前記トーン検出手段を前記モデム手段及び第１信号分離合成手段間の受信信号に接続し、前記ＤＴＭＦ検出手段を、前記アナログ網模擬手段が前記アナログ電話器のオンフックを検出している時にあっては前記モデム手段及び第１信号分離合成手段間の受信信号に接続する一方、前記アナログ網模擬手段が前記アナログ電話器のオフフックを検出している時にあっては前記第２信号分離合成手段からの送信信号に接続する切換制御を行うため、前記モデム手段が前記アナログ網に接続されると共に、相手装置から受信するデータ通信のための所定周波数のトーンを前記トーン検出手段により検出できるようになるため、アナログデータ通信が可能となる。また、前記接続手段に接続される前記アナログ電話器に前記アナログ網模擬手段が接続されて、前記アナログ電話器のオン／オフフックの検出が可能となり、オンフックの場合は、前記ＤＴＭＦ検出手段が前記モデム手段の受信信号に接続されることで、当該受信信号中に含まれるＤＴＭＦ信号を検出でき、オフフックの場合は、前記ＤＴＭＦ検出手段がアナログ電話器からの送信（送話）信号である前記第２信号分離合成手段からの送信信号中に含まれるＤＴＭＦ信号を検出できる。また、前記切換制御手段は、前記デジタル網を介したデータ通信の場合は、前記モデム手段からの送信信号及び受信信号を前記コーデック手段の送信信号入力及び受信信号出力にそれぞれ接続し、前記トーン検出手段及びＤＴＭＦ検出手段を前記モデム手段及びコーデック手段間の受信信号に接続する切換制御を行うため、前記コーデック手段と前記モデム手段とが直結されると共に、前記トーン検出手段及びＤＴＭＦ検出手段がそれぞれ所定周波数のトーン及びＤＴＭＦ信号を受信信号から検出できるようになり、デジタルデータ通信が可能となる。また、前記切換制御手段は、前記デジタル網を介した通話の場合は、前記アナログ網模擬手段及びインピーダンス変換手段を前記接続手段に接続し、前記第２信号分離合成手段からの送信信号出力及び受信信号入力を前記コーデック手段の送信信号入力及び受信信号出力にそれぞれ接続し、前記トーン検出手段を前記第２信号分離合成手段及びコーデック手段間の受信信号に接続し、前記ＤＴＭＦ検出手段を、前記第２信号分離合成手段及び前記コーデック手段間の送信信号に接続する切換制御を行うため、前記接続手段に接続される前記アナログ電話器は、前記アナログ網模擬手段に接続されることで、あたかもアナログ網に直結された通常のアナログ電話器として使用できる。一方、前記アナログ電話器からの送受信（送受話）信号は、前記インピーダンス変換手段を介して前記第２信号分離合成手段で送信（送話）信号と受信（受話）信号とに分離されて、送信信号は、コーデック手段に送信信号として入力され、受信信号はコーデック手段から受信信号として出力され、送信信号とは逆経路で、送信信号と合成された送受信信号として、前記アナログ電話器に入力される。また、前記アナログ電話器からの送信信号に含まれるＤＴＭＦ信号は、前記ＤＴＭＦ検出手段で検出でき、ダイヤルパルス信号は、前記アナログ網模擬手段で検出できるため、相手先に対しての呼設定を行うことができる。また、着呼の場合は、アナログ網模擬手段により鳴動信号を発生させることにより前記接続手段に接続されたアナログ電話器を呼出すことができ、オフフックを検出することで、通話を開始できる。これにより、アナログ電話器を使用してのデジタル通話が可能となる。このように、本発明によれば、アナログ電話器を使用してのデジタル通話及びアナログ通話、並びに、デジタル通信及びアナログ通信が全て可能となる。
【０１２０】
請求項２に係る発明によれば、前記切換制御手段は、前記デジタル網を介した通話の場合は、前記アナログ網模擬手段及びインピーダンス変換手段を前記接続手段に接続し、前記第２信号分離合成手段からの送信信号出力を前記コーデック手段の送信信号入力に接続し、前記コーデック手段の受信信号出力を、前記信号加算手段の第２または第１信号入力のいずれか一方に接続すると共に他方の信号入力に前記モデム手段の送信信号を接続し、前記信号加算手段からの出力を前記第２信号分離合成手段の受信信号入力に接続し、前記トーン検出手段及びＤＴＭＦ検出手段を前記コーデック手段及び信号加算手段間の受信信号に接続する切換制御を行うため、前記接続手段に接続される前記アナログ電話器は、前記アナログ網模擬手段に接続されることで、あたかもアナログ網に直結された通常のアナログ電話器として使用できる。一方、前記アナログ電話器からの送受信（送受話）信号は、前記インピーダンス変換手段を介して前記第２信号分離合成手段で送信（送話）信号と受信（受話）信号とに分離されて、送信信号は、コーデック手段に送信信号として入力され、受信信号はコーデック手段から受信信号として出力され、前記信号加算手段により前記モデム手段からの信号が加算されて、送信信号とは逆経路で、送信信号と合成された送受信信号として、前記アナログ電話器に入力される。これによりアナログ電話器には、モデム手段からのコールプログレストーンが合成された信号が受話信号として入力される。これにより、ダイヤルトーン、リングバックトーン、ビシートーン等の本来アナログ網からアナログ電話器に送出されるコールプログレストーンを、デジタル通話時にも、前記接続手段に接続されるアナログ電話器に送出でき、アナログ電話器を使用したデジタル通話をいっそう違和感なく行うことができる。また、前記モデム手段が本来データの変復調のために備える信号処理機能を利用してコールプログレストーン出力機能を実現することで、部品点数の減少ひいては、装置コスト低減の効果が得られる。
【０１２１】
請求項３に係る発明によれば、アナログデータ通信、デジタルデータ通信及び、アナログ電話器を使用したアナログ通話については、請求項１または２に係る発明と同様に行うことができ、また、請求項１または２に係る発明における前記第２信号分離合成手段に代えて、前記送信信号分離手段を用いているため、前記接続手段に接続されたアナログ電話器が、アナログデータ通信中またはデジタルデータ通信中にオフフックされた場合でも、通信中の信号が受信信号として前記アナログ電話器により聞かれてしまうことがなくなる。
【０１２２】
請求項４に係る発明によれば、デジタルデータ通信及び、アナログ電話器を使用したデジタル通話については、請求項１または２に係る発明と同様に行うことができ、また、デジタルデータ通信中には、前記接続手段に接続されたアナログ電話器は、通信信号から完全に切り離されるため、デジタルデータ通信中にオフフックされた場合でも、通信中の信号が受信信号として前記アナログ電話器により聞かれてしまうことがなくなる効果がある。また、前記アナログ電話器がオフフック状態であって、呼接続中でないときは、前記モデム手段の送信信号が前記アナログ電話器に受信信号として受信されるため、前記モデム手段からのコールプログレストーンレストーンを前記アナログ電話器に聞かせることができる。また、本発明は、前記インターフェースユニットを、請求項３に係る発明の網制御ユニットと置換することで実現できるため、アナログデータ通信、デジタルデータ通信及び、アナログ電話器を使用したアナログ通話が可能な請求項３に係る発明の網制御ユニットと、デジタルデータ通信及び、アナログ電話器を使用したデジタル通話が可能な本発明に係るインターフェースユニットとを、ユーザが所望する通信形態に応じて選択することができる効果がある。
【０１２３】
請求項５に係る発明によれば、デジタルデータ通信及びアナログ電話器を使用したデジタル通話を、請求項４に係る発明と同様に行うことができ、更に、請求項４に係る発明のように、請求項３に係る発明と共通の、アナログデータ通信のための構成を備える必要がないため、その分構成を簡潔にできる利点がある。
【０１２４】
請求項６に係る発明によれば、デジタルデータ通信及びアナログ電話器を使用したデジタル通話を、請求項５に係る発明と同様な簡潔な構成で実現でき、また、前記信号加算手段により、前記接続手段に接続されたアナログ電話器により受信される信号に、前記モデム手段からのコールプログレストーンを合成できるため、コールプログレストーンを、デジタル通話時にも、前記接続手段に接続されるアナログ電話器に送出でき、アナログ電話器を使用したデジタル通話をいっそう違和感なく行うことができる。また、前記モデム手段が本来データの変復調のために備える信号処理機能を利用してコールプログレストーン出力機能を実現することで、部品点数の減少ひいては、装置コスト低減の効果が得られる。
【０１２５】
請求項７に係る発明によれば、デジタルデータ通信及びアナログ電話器を使用したデジタル通話を、請求項６に係る発明と同様な簡潔な構成で実現でき、また、デジタルデータ通信中には、前記接続手段に接続されたアナログ電話器は、通信信号から完全に切り離されるため、デジタルデータ通信中にオフフックされた場合でも、通信中の信号が受信信号として前記アナログ電話器により聞かれてしまうことがなくなる効果がある。また、前記アナログ電話器がオフフック状態であって、呼接続中でないときは、前記モデム手段の送信信号が前記アナログ電話器に受信信号として受信されるため、前記モデム手段からのコールプログレストーンレストーンを、請求項６に係る発明と同様に、前記アナログ電話器に聞かせることができる。
【０１２６】
請求項８に係る発明によれば、デジタルデータ通信及びアナログ電話器を使用したデジタル通話を、請求項５に係る発明と同様な構成で実現できることによる請求項５に係る発明と同様の効果に加えて、アナログ電話器を使用したデジタル通話時には、前記アナログ電話器からのＤＴＭＦ信号を前記ＤＴＭＦ検出手段により検出することができ、前記アナログ電話器のテンキーから相手先番号の入力を行うことができる利点がある。
【０１２７】
請求項９に係る発明によれば、デジタルデータ通信及びアナログ電話器を使用したデジタル通話を、請求項６に係る発明と同様な構成で実現できることによる請求項６に係る発明と同様の効果に加えて、アナログ電話器を使用したデジタル通話時には、前記アナログ電話器からのＤＴＭＦ信号を前記ＤＴＭＦ検出手段により検出することができ、前記アナログ電話器のテンキーから相手先番号の入力を行うことができる利点がある。
【０１２８】
請求項１０に係る発明によれば、デジタルデータ通信及びアナログ電話器を使用したデジタル通話を、請求項７に係る発明と同様な構成で実現できることによる請求項７に係る発明と同様の効果に加えて、アナログ電話器を使用したデジタル通話時には、前記アナログ電話器からのＤＴＭＦ信号を前記ＤＴＭＦ検出手段により検出することができ、前記アナログ電話器のテンキーから相手先番号の入力を行うことができる利点がある。
【図面の簡単な説明】
【図１】アナログ電話器が接続された、本発明の実施の形態に係るファクシミリ装置のブロック構成を示す図である。
【図２】第１実施形態に係るアナログ通信処理部及びＮＣＵ部のブロック構成を示す図である。
【図３】第２実施形態に係るアナログ通信処理部及びＮＣＵ部のブロック構成を示す図である。
【図４】第３実施形態に係るアナログ通信処理部及びＮＣＵ部のブロック構成を示す図である。
【図５】アナログ電話器が接続された、本発明の実施の形態に係るファクシミリ装置の図１とは別のブロック構成を示す図である。
【図６】第４実施形態に係るアナログ通信処理部及びＴＥＬ＿Ｉ／Ｆ部のブロック構成を示す図である。
【図７】第５実施形態に係るアナログ通信処理部及びＴＥＬ＿Ｉ／Ｆ部のブロック構成を示す図である。
【図８】第６実施形態に係るアナログ通信処理部及びＴＥＬ＿Ｉ／Ｆ部のブロック構成を示す図である。
【図９】第７実施形態に係るアナログ通信処理部及びＴＥＬ＿Ｉ／Ｆ部のブロック構成を示す図である。
【図１０】第８実施形態に係るアナログ通信処理部及びＴＥＬ＿Ｉ／Ｆ部のブロック構成を示す図である。
【図１１】第９実施形態に係るアナログ通信処理部及びＴＥＬ＿Ｉ／Ｆ部のブロック構成を示す図である。
【図１２】第１０実施形態に係るアナログ通信処理部及びＴＥＬ＿Ｉ／Ｆ部のブロック構成を示す図である。
【図１３】アナログ電話器を使用してのＩＳＤＮを介した通話の動作フローを示す図である。
【符号の説明】
１００  ファクシミリ装置
１  システム制御部
２  システムメモリ部
３  画像メモリ部
４  符号化・復号化部
５  記録部
６  読み取り部
７  操作表示部
８  Ｉ／Ｏ制御部
９  モデム部
１０  フラグ通信処理部
１１  ＮＣＵ部
１２  コーデック部
１３  Ｂチャンネル伝送制御部
１４  Ｄチャンネル伝送制御部
１５  レイヤ１信号制御部
１６  ＩＳＤＮ＿Ｉ／Ｆ部
１７  システムバス
１８  ＴＥＬ＿Ｉ／Ｆ部
２０  アナログ電話器
２０ａ  接続端子
３０  回線電流（オフフック）検出部
３１  ライントランス部
３２  ハイインピーダンストランス部
３３  呼出信号検出部
３４  直流供給・鳴動信号発生・オフフック検出部（ＰＳＴＮ模擬部）
４０  ２線＿４線変換部
４１  ２線＿４線変換部
４２  トーン検出部
４３  ＤＴＭＦレシーバ部
４４  加算アンプ部
４５  バッファアンプ部
ＳＷ１ないし１２  スイッチ
【図１】
0003589544.tif 000002
【図２】
0003589544.tif 000003
【図３】
0003589544.tif 000004
【図４】
0003589544.tif 000005
【図５】
0003589544.tif 000006
【図６】
0003589544.tif 000007
【図７】
0003589544.tif 000008
【図８】
0003589544.tif 000009
【図９】
0003589544.tif 000010
【図１０】
0003589544.tif 000011
【図１１】
0003589544.tif 000012
【図１２】
0003589544.tif 000013
【図１３】
0003589544.tif 000014